(57)【要約】【課題】  分注精度に影響することなく、洗浄性の良い分注プローブを提供すること。【解決手段】  液体の吸引または吐出の少なくともいずれかを行う分注プローブ１７において、中心軸線Ａが平行、かつ、段階的に内径が狭くなるように配設された複数の直管部３０と、該直管部３０間を接合する複数の縮径部３１とを備える。【選択図】      図３
2005249535.tif 000002
【特許請求の範囲】
【請求項１】
液体の吸引または吐出の少なくともいずれかを行う分注プローブにおいて、
中心軸線が平行、かつ、段階的に内径が狭くなるように配設された複数の直管部と、
該直管部間に設けられた複数の縮径部とを備えることを特徴とする分注プローブ。
【請求項２】
前記縮径部の内周面の傾斜角が、前記直管部の中心軸線に対して１０°〜４５°であることを特徴とする請求項1に記載の分注プローブ。
【請求項３】
前記縮径部の一端側の内径と他端側の内径との縮径率が、５０％〜７０％であることを特徴とする請求項1に記載の分注プローブ。
【請求項４】
使用頻度を基準にあらかじめ設定された複数の吸引量のうち、いずれの吸引量を吸引したときでも、液面が前記直管部に位置するように前記縮径部の位置が設定されていることを特徴とする請求項１から請求項３のいずれか１項に記載の分注プローブ。
【請求項５】
内周面に親水性コーティングが施されていることを特徴とする請求項１から請求項４のいずれか1項に記載の分注プローブ。
【請求項６】
内周面に抗血栓性コーティングが施されていることを特徴とする請求項１から請求項４のいずれか1項に記載の分注プローブ。
【請求項７】
検体及び試薬が分注される反応容器と、
該反応容器内で混合された前記検体及び前記試薬の混合液から前記検体の検査を行う分析手段とを備えた自動分析装置において、
前記検体及び前記試薬を前記反応容器に分注する分注手段として、請求項１から請求項６の何れか１項に記載の分注プローブを備えることを特徴とする分析装置。
【発明の詳細な説明】
【技術分野】
【０００１】
本発明は、生体試料に対して種々の検査を行う自動分析装置と、この自動分析装置における分注作業に用いて好適な分注装置とに関する。
【背景技術】
【０００２】
自動化学分析装置では、人体の尿，血液等からなる検体を反応容器に分注し、さらに、これに対して検査項目毎に設定される所定の試薬を分注して混合することにより生ずる反応状態を検出することで、検体の分析を行う。この反応容器への検体、試薬等の試料（以下、検体及び試薬を含め試料と記す。）の分注には、分注プローブが使用される。この分注プローブは、モータ駆動のシリンジ型ポンプ等に連結されており、ポンプの動作により、試料の吸引，吐出がなされるように構成されている。
このような、吸引，吐出動作の後には、微量の試料が分注プローブの内面及び外面に付着して残る。この分注プローブに残った試料が別の試料に持ち越されて混入すると、分析結果に影響を及ぼすため、吸引，吐出後に試料が変更される場合には、その都度、分注プローブの内面及び外面を洗浄液により洗浄している。
【０００３】
このように、別の試料に持ち越されるものとしては、試料吸引時に試料を入れておくサンプルカップ内に分注プローブを挿入したときに持ち越されるものと（別のサンプルのカップ内に他のサンプルが混じってしまうこと。以下、検体間キャリーオーバと称す。）と、サンプル吐出時に反応容器内に持ち越すもの（反応容器内で、他の反応で用いた本来実験に用いないサンプルが混じってしまうこと。以下、テスト間キャリーオーバと称す。）とが挙げられる。
一方で、自動化学分析装置の分野では、より高感度な測定が行われ、なおかつ、更なる処理速度の向上が望まれている。そのために、上述の分注プローブの洗浄をより短時間で効率的に行い、なおかつ、別の試料への持ち越しを防ぐために、分注プローブに付着した前の工程で用いたサンプルを、より残存量が少ないレベルまで洗浄することのできる洗浄性の良い分注プローブが求められている。
【０００４】
洗浄効果を向上させる方法として、流路断面積が大きい形状でありながらも、洗浄度の高い分注ノズルが提案されている（例えば、特許文献１参照。）。この特許文献１に記載の分注ノズルは、分注ノズルに扁平な箇所を成型加工し、この扁平な箇所で、分注ノズルを通過する洗浄液が乱流状態となり洗浄性が向上するものである。
また、自動分析装置の小型化を図り、かつ高度の洗浄度を持ったピペットも提案されている（例えば、特許文献２参照。）。この特許文献２に記載のピペットは、検体、試薬等を反応器へ分注するものであり、ピペットの途中から先端まで螺旋状に形成されている。これにより、分注プローブを通過する洗浄液の流速が内側と外側とで異なるために乱流状態となり、洗浄性が向上するものである。
【特許文献１】実公平２−２２６８０号公報
【特許文献２】特開昭６２−２６２７５１号公報
【発明の開示】
【発明が解決しようとする課題】
【０００５】
上記従来では、いずれも分注ノズル及びピペットの特異的な形状により乱流を発生させ洗浄性能を向上させている。しかしながら、乱流と言っても分注ノズルの先端に向いた方向を持つ流れであり、特異な形状に応じて、付着したサンプルの落ちやすい箇所と、付着したサンプルの残り易い箇所とが形成されるため、結果的に大きな効果が得られない。一方、乱流の発生し易い形状では、吸引時の流れも不均一になるため、気泡が発生して内部に巻き込むなどして十分な分注精度を得ることが困難である。
また、血液成分の中には、フィブリンなどの血液を凝固，接着させる成分も含まれ、このような成分のために使用中に分注プローブが詰まることがあり、一般にはマンドレルを通すなどのメンテナンスがなされている。しかしながら、上記従来技術ではマンドレルを通せない形状であり、これを用いたメンテナンスができない。このため、同一分注プローブの長期間の継続的な使用は難しい。
【０００６】
本発明は上述した事情に鑑みてなされたものであって、分注精度に影響することなく、洗浄性の良い分注プローブを提供することを目的とする。
【課題を解決するための手段】
【０００７】
上記目的を達成するために、本発明は、以下の手段を提供する。
本発明の分注プローブは、液体の吸引または吐出のいずれか一方を行う分注プローブにおいて、中心軸線が平行、かつ、段階的に内径が狭くなるように配設された複数の直管部と、該直管部間に設けられた複数の縮径部とを備えることを特徴としている。
【０００８】
この発明によれば、縮径部が分注プローブの特異的な部位となっているため、所定量の液体の分注が行われる際、直管部に比べ液体が付着しやすい部位となる。しかしながら、洗浄中には、縮径部において洗浄液の圧力が高まり、縮径部の終端側（分注プローブの先端側）では、内径が狭くなるため、流速が上昇する。これにより、縮径部に溜った液体が掻き出される。したがって、縮径部及び直管部を備えることにより、洗浄性の高い分注プローブが得られることになる。
【０００９】
また、本発明の分注プローブは、前記縮径部の内周面の傾斜角が、前記直管部の中心軸線に対して１０°〜４５°であることが好ましい。
また、本発明の分注プローブは、前記縮径部の一端側の内径と他端側の内径との縮径率が、５０％〜７０％であることが好ましい。
【００１０】
この発明によれば、縮径部の傾斜角度や縮径部の内径寸法を適切に設定することにより、さらに洗浄性を向上させた分注プローブが得られることになる。
【００１１】
また、本発明の分注プローブは、使用頻度を基準にあらかじめ設定された複数の吸引量のうち、いずれの吸引量を吸引したときでも、液面が前記直管部に位置するように前記縮径部の位置が設定されていることが好ましい。
【００１２】
この発明によれば、使用頻度を基準にあらかじめ設定された複数の吸引量に応じて縮径部の位置を設定する。すなわち、複数種のあらかじめ設定された吸引量を考慮して分注プローブを設計することで、分注プローブが所定の吸引量を吸引した後、液体が残存する縮径部の数を最小限に留めることが可能となる。一般には、吸引量が少ないときほど相対的に洗浄後に残存する液体量が大きくなる傾向にあるため、特に分注量が少ないときほど効果が得られる。
【００１３】
また、本発明の分注プローブは、内周面に親水性コーティングが施されていることが好ましい。
また、本発明の分注プローブは、内周面に抗血栓性コーティングが施されていることが好ましい。
【００１４】
この発明によれば、分注プローブの内周面を親水性あるいは抗血栓性のコーティングを施すことにより、所定量の液体の分注が行われた際、分注プローブ内周面に付着した液体量を減少させることができる。すなわち、親水性コーティングによれば、表面に水分子の膜を形成して検体の付着を抑止し、抗血栓性コーティングによれば、液体成分と表面との凝固接着を抑止することができる。また、親水性コーティングあるいは抗血栓性コーティングと塗布した面では、流路抵抗が減少し洗浄液が流れやすくなるため、洗浄時における洗浄液の流動性が向上し、分注プローブ内面に付着した液体を除去する能力が向上する。
【００１５】
本発明の分析装置は、検体及び試薬が分注される反応容器と、該反応容器内で混合された前記検体及び前記試薬の混合液から前記検体の検査を行う分析手段とを備えた自動分析装置において、前記検体及び前記試薬を前記反応容器に分注する分注手段として、請求項１から請求項６の何れか１項に記載の分注プローブを備えることを特徴としている。
この発明によれば、より短時間で効果的に分注プローブの内面を洗浄可能となる。
【発明の効果】
【００１６】
本発明に係る分注プローブ及び分析装置によれば、直管部及び縮径部を設けることにより、縮径部においては洗浄液の圧力が高まり、直管部の終端においては内径が狭くなるため、流速を上昇させることができる。したがって、縮径部に溜まった液体を分注プローブ内部から効率良く掻き出すことが可能となる。
【発明を実施するための最良の形態】
【００１７】
以下、本発明の第１実施形態に係る自動分析装置について図1から図５を参照して説明する。
本実施形態に係る自動分析装置（分析装置）１は、図１に示すように、装置本体１上に、反応ディスク２，検体用ターンテーブル３，試薬用ターンテーブル４，検体用分注ユニット（分注装置）８，試薬用分注ユニット（分注装置）９等が配設された構成となっている。
【００１８】
反応ディスク２には、複数本の反応容器５が同心円周上に沿って環状配置されており、また、検体用ターンテーブル３には、複数本の検体容器６が同心円周上に沿って環状配設されている。また、試薬用ターンテーブル４には、複数本の試薬ボトル７が、同心円周上に沿って環状配設されている。
【００１９】
各検体容器６には、分析対象となる検体、すなわち、血液、尿、糞便溶解液、培養細胞液等が収められており、また、各試薬ボトル７には、分析項目に必要な複数種類の試薬が個別に収められている。
反応ディスク２，検体用ターンテーブル３，試薬用ターンテーブル４は、それぞれ、図示しない回転機構により間欠的に回転動作し、所定の位置に位置決めすることが可能となっている。すなわち、反応ディスク２には、検体分注ポジションＰ１，試薬分注ポジションＰ３，攪拌ポジションＰ５，測定ポジションＰ６，反応容器洗浄ポジションＰ７が設定されており、図示しない装置コントローラによりその位置が記憶され、位置制御されている。同様に、検体用ターンテーブル３，試薬用ターンテーブル４にも、それぞれ、検体吸引ポジションＰ２，試薬吸引ポジションＰ４が設定されている。
【００２０】
検体用分注ユニット８，試薬用分注ユニット９は、それぞれ分注プローブ１７（後述）を備えており、図示しない駆動機構により、同図の紙面垂直方向の上下動作と、紙面垂直軸線回りの回転動作とが可能となっている。
検体用分注ユニット８は、同図に示す回転動作を行うことにより、反応ディスク２上の検体分注ポジションＰ１と検体用ターンテーブル３上の検体吸引ポジションＰ２との間を行き来できる位置に配設されている。また、試薬用分注ユニット９は、同図に示す回転動作を行うことにより、反応ディスク２上の試薬分注ポジションＰ３と試薬用ターンテーブル４上の試薬吸引ポジションＰ４との間を行き来できる位置に配設されている。
【００２１】
そして、検体分注ポジションＰ１と検体吸引ポジションＰ２との間であって、検体用分注ユニット８が回転動作により通過する経路Ｌ１上の位置に、検体用分注ユニット８に備えられている前記分注プローブ１７の外部の洗浄と、前記分注プローブ１７内を洗浄した後の洗浄液の排出とを行う検体用洗浄槽（洗浄装置）１０が配設されている。同様に、試薬分注ポジションＰ３と試薬吸引ポジションＰ４との間であって、試薬用分注ユニット９が回転動作により通過する経路Ｌ２上の位置に、試薬用分注ユニット９に備えられている前記分注プローブ１７の外部の洗浄と、前記分注プローブ１７内を洗浄した後の洗浄液の排出とを行う試薬用洗浄槽（洗浄装置）１１が配設されている。
【００２２】
また、攪拌ポジションＰ５の外周位置には攪拌ユニット１２が配設されており、攪拌ポジションＰ５の位置に来た反応容器５内の混合液を攪拌するようになっている。測定ポジションＰ６の外周位置には測定ユニット１３が配設されており、測定ポジションＰ６の位置に来た反応容器５内の混合液の吸光度を測定するようになっている。反応容器洗浄ポジションＰ７の外周位置には、反応容器洗浄ユニット１４が配設されており、測定および分析の完了した混合液を廃棄し、反応容器５を洗浄するようになっている。
【００２３】
以上説明の構成を有する本実施形態の自動分析装置の全体動作について、以下に説明を行う。
まず、検体用分注ユニット８および試薬用分注ユニット９の前記各分注プローブ１７を、それぞれ、検体用洗浄槽１０，試薬用洗浄槽１１上の位置に移動させる。この位置で一度停止させた後、洗浄液供給ポンプから洗浄液が前記各分注プローブの先端まで送られる。これにより、前記各分注プローブの洗浄が行われるとともに、これら分注プローブ内および分注プローブに接続された配管内が洗浄液で満たされる。なお、この洗浄動作については、後述において詳細に説明する。
【００２４】
次に、検体用分注ユニット８の前記分注プローブが、検体吸引ポジションＰ２に移動され、さらにこの分注プローブを降下させることで、この位置にある検体容器６内に挿入される。検体容器６内の検体の液面下数ｍｍの位置まで先端が降下したところで分注プローブの動作が止められ、次いでシリンジポンプ（図示略）が動作して検体が吸引される。
所定量の吸引が完了すると、前記分注プローブは、検体容器６と機械的に干渉しない高さまで引き上げられ、次に、検体分注ポジションＰ１に移動される。移動完了後、前記分注プローブは、検体分注ポジションＰ１に設置されている反応容器５内に降下され、前記シリンジポンプの動作により所定量の検体の分注が行われる。
【００２５】
分注完了後、前記分注プローブは反応容器５と干渉しない位置まで引き上げられ、検体用洗浄槽１０上に移動される。洗浄槽１０上の位置に達すると、前記洗浄液供給ポンプが動作して洗浄液が分注プローブに送られる。これにより、分注プローブ内の余った検体を外部に流し出すとともに、分注プローブ先端の洗浄が行われる。以上により、１つの反応容器５への検体の分注が完了する。なお、この洗浄動作については、後述において詳細に説明する。
【００２６】
検体の分注完了後、反応ディスク２が回転動作し、反応容器５は試薬分注ポジションＰ３に送られる。試薬分注ポジションＰ３と試薬吸引ポジションＰ４との間でも、分注ユニット９が分注ユニット８と同様に動作し、試薬吸引ポジションＰ４から試薬を吸引し、試薬分注ポジションＰ３において検体の入った反応容器５内に試薬を分注する。
試薬の分注完了後、反応ディスク２が回転動作し、反応容器５は攪拌ポジションＰ５に送られる。攪拌ポジションＰ５では、攪拌ユニット１２が作動して検体および試薬の混合液の攪拌がなされる。
【００２７】
攪拌後、検体と試薬が反応するのに要する所定時間を経過した後、反応容器５は測定ポジションＰ６に送られ、測定ユニット１３により分析項目に応じた所定の波長で吸光度の変化等が測定され、分析が行われる。
分析が完了した反応容器５は、反応容器洗浄ポジションＰ７に送られ、反応容器洗浄ユニット１４によって洗浄される。
以上が、本実施形態の自動分析装置における分析作業の一連の動作であり、予め設定された分析プログラムに従って作業が繰り返し行われる。
【００２８】
続いて、前記検体用分注ユニット８および試薬用分注ユニット９の詳細に関する説明を行う。なお、これら検体用分注ユニット８および試薬用分注ユニット９は略同一構成を有するものであるため、以下の説明においては「分注プローブユニット」としてまとめて説明するものとする。また、分注対象である検体及び試薬についても、単に「試料（液体）」と呼んで説明するものとする。この試料は、生体試料または生体試験に用いられる液体試料が含まれている。
【００２９】
本実施形態の分注プローブユニットは、図２に示すように、試料を吸引、吐出するための分注プローブ１７を備えている。この分注プローブ１７は、Ｚ−θ駆動部２２に同軸に配設された支柱１８に対し、アーム１９を介して支持されている。そして、分注プローブ１７は、Ｚ−θ駆動部２２の駆動により、高さ方向（Ｚ軸方向），回動方向（θ方向）に移動させることができるようになっている。
【００３０】
分注プローブ１７は、図３に示すように、先端１７ａに向かって内径が狭くなるように配設された複数のストレート部（直管部）３０と、このストレート部３０間を接合し、ストレート部３０の中心軸線Ａに対して対称的に傾斜しているテーパ部（縮径部）３１とを備えている。
ストレート部３０は、長さが１０ｍｍで内径が０．３ｍｍの第１のストレート部３０ａと、長さが１０ｍｍで内径が０．６ｍｍの第２のストレート部３０ｂと、内径が０．９ｍｍの第３のストレート部３０ｃとを備え、これらが分注プローブ１７の先端１７ａから順をなして配されている。そして、各々のストレート部３０の中心軸線Ａが、略一致するように配されている。
【００３１】
テーパ部３１は、第１のテーパ部３１ａと、第２のテーパ部３１ｂとを備えている。この第１のテーパ部３１ａは、第１のストレート部３０ａと第２のストレート部３０ｂとの間に配され、第２のテーパ部３１ｂは、第２のストレート部３０ｂと第３のストレート部３０ｃとの間に配されており、第１のストレート部３０ａ、第１のテーパ部３１ａ、第２のストレート部３０ｂ、第２のテーパ部３１ｂ、第３のストレート部３０ｃは、例えば一体で成形されている。また、各テーパ部３１の内周面の傾斜角は、中心軸線Ａに対して２０°傾斜した形状になっている。ここで、各テーパ部の一端側の内径から他端側の内径への変化量と、該一端側の内径との割合を縮径率と定義すると、第1のテーパ部３１ａの縮径率は、（ストレート部３０ｂ−ストレート部３０ａ）／ストレート部３０ｂ×１００＝（０．６−０．３）／０．６×１００＝５０％となる。第2のテーパ部３１ｂに関しても、同様の方法により求めた縮径率は３３％となる。
【００３２】
以上に説明の分注プローブ１７を有する自動分析装置１の動作について説明する。
分注動作後の分注プローブ１７は、前記検体用洗浄槽１０または前記試薬用洗浄槽１１に移動し、分注プローブ１７に洗浄液を通すことで洗浄を行う。分注プローブ１７を洗浄する際、分注プローブ１７の各テーパ部３１の内面には、図４（ａ）に示すように、試料が付着している。このように、テーパ部３１が２箇所（第１のテーパ部３１ａ及び第２のテーパ部３１ｂ）ある分注プローブ１７の内面に付着した試料の合計量は、図４（ｂ）に示すような、テーパ部（縮径部）３２が1箇所のみである分注プローブよりも少なくなる。このとき、上記の定義に従い、縮径率を求めると、テーパ部３２の縮径率より、テーパ部３１の縮径率の方が小さくなる。すなわち、縮径率が小さい方が残存する試料も少ない。さらに、図５に示すように、横軸をテーパ部３１に加わる洗浄液の圧力とし、縦軸をテーパ部３１に残存する試料の量とすると、圧力閾値がα以上になると、テーパ部３１で乱流状態が形成されて、試料が掻き出される。
【００３３】
すなわち、本実施形態に係る分注プローブ１７によれば、分注プローブ洗浄時には、各テーパ部３１で並行して試料の掻き出しが行われるため、１箇所のみテーパ部３２を有する分注プローブよりも効果的に試料が除去される。さらに、洗浄液の送水圧力を圧力閾値α以上にすることにより、洗浄効果が向上し、洗浄後の試料の付着量が格段に減少する。
【００３４】
また、テーパ部３１の傾斜角度を小さくすることで、より低い送圧で、乱流状態に発生させることも可能である。この送水圧力は、継ぎ手，電磁弁などの配管系の構成要素の耐久性のため、０．３〜０．４Ｍｐａ程度が実用的な限界となる。本発明によれば、試料に応じて適切な数だけテーパ部３１を設けることにより、０．３〜０．４Ｍｐａ以下の送水圧力で乱流状態を形成し洗浄効果を向上させることができる。これらにより、複数のテーパ部３１を形成することにより、洗浄性の高い分注プローブが得られることになる。
【００３５】
なお、本実施形態において、テーパ部３１の内周面の傾斜角度を中心軸線Ａに対して２０°としたが、１０°〜４５°の範囲であれば同様の効果が得られ、特に、２０°〜３０°であることが好ましい。
【００３６】
次に、本発明の第２実施形態に係る分注プローブについて図６を参照して説明する。なお、以下に説明する各実施形態において、上述した第１実施形態に係る分注プローブ１７及び自動分析装置１と構成を共通とする箇所には同一符号を付けて、説明を省略することにする。
本実施形態に係る分注プローブ４０は、第１実施形態の分注プローブ１７に加えて、ストレート部３０が第４のストレート部３０ｄを備え、テーパ部３１が第３のテーパ部３１ｃを備える点と、ストレート部３０とテーパ部３１との配置とにおいて第１実施形態と異なっている。
【００３７】
使用頻度を基準にあらかじめ設定された複数の分注量（吸引量）のうち、いずれの分注量を吸引したときでも、液面がストレート部３０に至るように各テーパ部３１の位置が設定されている。すなわち、分注を行う量によって分注プローブ４０内の液面の位置がストレート部３０に収まるようになっている。
【００３８】
以上に説明の分注プローブ４０を有する自動分析装置１の動作について説明する。
第１実施形態と同様に、シリンジポンプが操作して試料が分注プローブ４０に吸引される際、例えば、分注装置８，９で使用する試料の所定の分注量が、１μＬ，５μＬ，１０μＬ，２５μＬと定められているとき、１μＬ〜５μＬ，５μＬ〜１０μＬ，１０μＬ〜２５μＬの間に、それぞれテーパ部３１が設けられている分注プローブ４０を用いる。すなわち、１μＬ分注時には、テーパ部３１に試料は浸されず、１μＬ〜５μＬ分注時には、第１のテーパ部３１ａに試料が浸され、５μＬ〜１０μＬ分注時には、第１，第２のテーパ部３１ａ，３１ｂに試料が浸され、１０μＬ〜２５μＬ分注時には、第１，第２，第３のテーパ部３１ａ，３１ｂ，３１ｃに試料が浸される。そして、分注完了後、第１実施形態と同様に分注プローブ４０の洗浄が行われる。
【００３９】
すなわち、本実施形態に係る分注プローブ４０によれば、使用する試料の量が１μＬのときは、ほぼ完全に分注プローブ４０内の残留物を除去でき、１μＬ〜５μＬのときは、１０μＬ〜２５μＬのときに比べ残留物を１／３程度に抑えることができ、５μＬ〜１０μＬのときは、１０μＬ〜２５μＬのときに比べ残留物を２／３程度に抑えることができる。これにより、分注量に応じてストレート部３０及びテーパ部３１が配されている分注プローブを用いることによって、分注プローブ内に残存する試料を最小限に抑えることができ、洗浄効率を向上させることができる。
【００４０】
なお、上記各実施形態において、縮径部を漸次内径の狭くなるテーパ部３１としたが、例えば、図７に示すように、分注プローブ５０の縮径部５１が、中心軸線Ａに対して対称的に傾斜していない構成であっても良い。
また、分注プローブ１７，４０の内面に親水性のコーティングまたは抗血栓性のコーティングを施すことで、試料付着の防止効果も得られ、なおかつ、流路抵抗の減少により、洗浄液の流動性が向上し、付着した試料の除去効果も高まる。これにより、洗浄後の試料の残量をノンコーティングの分注プローブ１７，４０の数分の１以下に減少させることができる。
【００４１】
また、分注プローブの基材は、ＳＵＳまたはチタンであり、いずれのコーティング剤も良好に膜を付けることができる。さらに、抗血栓性のコーティングにおいては、フィブリンの凝固・接着を抑止する効果，凝固したフィブリンを溶解する効果が得られるため、マンドレルを通す作業自体、実施する必要がなくなり、分注プローブのメンテナンスが簡略化できる。また、親水性を有するアルミナ、抗血栓性を有するポリウレタン，カルジオサン等で本発明の分注プローブ１７，４０を形成しても同様の効果が得られる。さらに、ナイロン，ポリ塩化樹脂，フッ素樹脂等の高分子材料からなる分注プローブでは、ウロキナーゼを固定化させて、抗血栓性を向上させることができる。ウロキナーゼは線溶活性酵素であるため、凝固したフィブリンを溶解することにより、更なる抗血栓性が得られるものであり、試料の付着，残留をさらに低減することができる。また、他に、このような抗血栓性を有し高分子材料に固定化できる材料としてヘパリンも挙げられ、同様の効果が得られる。
【００４２】
また、本発明の技術範囲は上記各実施の形態に限定されるものではなく、本発明の趣旨を逸脱しない範囲において種々の変更を加えることが可能である。
【図面の簡単な説明】
【００４３】
【図１】本発明の第１実施形態に係る自動分析装置を示す平面図である。
【図２】本発明の第１実施形態に係る分注プローブを示す平面図である。
【図３】本発明の第１実施形態に係る分注プローブを示す拡大平面図である。
【図４】本発明の第１実施形態に係る分注プローブの内面に付着した試料を示す断面図である。
【図５】本発明の第１実施形態に係る自動分析装置における洗浄液の圧力と分注プローブに残存する試料の量との関係を示す図である。
【図６】本発明の第２実施形態に係る分注プローブを示す拡大平面図である。
【図７】本発明の各実施形態に係る分注プローブの他の例を示す拡大平面図である。
【符号の説明】
【００４４】
Ａ  中心軸線
１  自動分析装置
５  反応容器
１７，４０，５０  分注プローブ
３０  ストレート部（直管部）
３１，３２  テーパ部（縮径部）
【図１】
2005249535.tif 000003
【図２】
2005249535.tif 000004
【図３】
2005249535.tif 000005
【図４】
2005249535.tif 000006
【図５】
2005249535.tif 000007
【図６】
2005249535.tif 000008
【図７】
2005249535.tif 000009